(57)【要約】【課題】  容器体を横倒ししても、安価でかつ確実に、保水材の水が容器体の上部側に流れ出にくくした切り花の収納容器を提供する。【解決手段】  切り花Ｆの花側を収納する筒状の上容器体２の下開口２ａ側と、切り花の茎側を収納する筒状の下容器体３の上開口３ａ側とを着脱可能に嵌め合わせてなり、少なくとも上容器体２は、透明若しくは半透明であって、下容器体３の内底部３ｂに、切り花Ｆの茎の切り口部分に接触する保水材４を設ける一方、下容器体３の内周面部分に、水止め堰となる環状凹凸部３ｄを形成した。【選択図】  図１
2006213391.tif 000002
【特許請求の範囲】
【請求項１】
切り花の花側と茎側の全体を収納する筒状の容器体を備え、この容器体の内底部に、切り花の茎の切り口部分に接触する保水材を設ける一方、前記容器体の少なくとも下部の内周面部分に、水止め堰となる環状凹凸部を形成したことを特徴とする切り花の収納容器。
【請求項２】
切り花の花側を収納する筒状の上容器体の下開口側と、切り花の茎側を収納する筒状の下容器体の上開口側とを着脱可能に嵌め合わせてなり、少なくとも上容器体は、透明若しくは半透明であって、前記下容器体の内底部に、切り花の茎の切り口部分に接触する保水材を設ける一方、前記下容器体の内周面部分に、水止め堰となる環状凹凸部を形成したことを特徴とする切り花の収納容器。
【請求項３】
前記下容器体の上開口は、下容器体の内周面よりも狭くなるように括れさせた括れ部に形成したことを特徴とする請求項２記載の切り花の収納容器。
【請求項４】
前記上容器体に頂開口を形成したことを特徴とする請求項２または３記載の切り花の収納容器。
【請求項５】
前記上容器体の頂開口は、上容器体の内周面よりも狭くなるように括れさせた括れ頂部に形成したことを特徴とする請求項４記載の切り花の収納容器。
【請求項６】
前記下容器体の上開口の外周面に、上容器体の下開口の内周面を外嵌で嵌め合わせるように構成して、上容器体の下開口の上部内周面に、下容器体の上開口の括れ部の肩部に当て止められる凸部を形成するとともに、下容器体の上開口の下部外周面に、上容器体の下端部が入り込み可能な凹部を形成したことを特徴とする請求項３〜５のいずれか一項に記載の切り花の収納容器。
【請求項７】
前記上容器体の内周面部分に、水止め堰となる環状凹凸部を形成したことを特徴とする請求項２〜６のいずれか一項に記載の切り花の収納容器。
【請求項８】
前記環状凹凸部は、外周面を凹状に窪ませ、内周面を凸状に突出させることで形成することを特徴とする請求項２〜７のいずれか一項に記載の切り花の収納容器。
【請求項９】
前記下容器体の上開口は、切り花の茎を中央付近に位置決め可能なように上向きに立ち上がった内周面を有することを特徴とする請求項２〜８のいずれか一項に記載の切り花の収納容器。
【請求項１０】
前記下容器体の少なくとも下部は、グリップ状に形成することを特徴とする請求項２〜９のいずれか一項に記載の切り花の収納容器。
【請求項１１】
前記上容器体と下容器体の嵌め合わせ部分に跨る外周面を、剥離可能なテープ材でシールすることを特徴とする請求項２〜１０のいずれか一項に記載の切り花の収納容器。
【発明の詳細な説明】
【技術分野】
【０００１】
本発明は、切り花の収納容器に関する。
【背景技術】
【０００２】
従来、切り花の茎の切り口を保水体に差し込んで、切り花を横倒しの状態で搬送容器に収容して切り花を搬送するようにした切り花の搬送容器がある（特許文献１参照）。
【０００３】
前記切り花の搬送用装置では、保水材の側部に貯水用容器や貯水用袋を配置して、保水体に充填した水分が滲み出しても貯水用容器や貯水用袋に貯水して、搬送容器に漏れ出さないようしている。
【特許文献１】特開２００３−３３５３７２号公報
【発明の開示】
【発明が解決しようとする課題】
【０００４】
しかしながら、特許文献１では、貯水用容器や貯水用袋を別に必要とするから、高価になるという問題があった。
【０００５】
本発明は、前記問題を解消するためになされたもので、容器体を横倒ししても、安価でかつ確実に保水材の水が容器体の上部側に流れ出にくくした切り花の収納容器を提供することを目的とするものである。
【課題を解決するための手段】
【０００６】
前記課題を解決するために、本発明の第１の手段である切り花の収納容器は、切り花の花側と茎側の全体を収納する筒状の容器体を備え、この容器体の内底部に、切り花の茎の切り口部分に接触する保水材を設ける一方、前記容器体の少なくとも下部の内周面部分に、水止め堰となる環状凹凸部を形成したことを特徴とするものである。
【０００７】
本発明の第２の手段である切り花の収納容器は、切り花の花側を収納する筒状の上容器体の下開口側と、切り花の茎側を収納する筒状の下容器体の上開口側とを着脱可能に嵌め合わせてなり、少なくとも上容器体は、透明若しくは半透明であって、前記下容器体の内底部に、切り花の茎の切り口部分に接触する保水材を設ける一方、前記下容器体の内周面部分に、水止め堰となる環状凹凸部を形成したことを特徴とするものである。
【０００８】
第２の手段である切り花の収納容器において、前記下容器体の上開口は、下容器体の内周面よりも狭くなるように括れさせた括れ部に形成することが好ましい。
【０００９】
第２の手段である切り花の収納容器において、前記上容器体に頂開口を形成することが好ましい。
【００１０】
第２の手段である切り花の収納容器において、前記上容器体の頂開口は、上容器体の内周面よりも狭くなるように括れさせた括れ頂部に形成することが好ましい。
【００１１】
第２の手段である切り花の収納容器において、前記下容器体の上開口の外周面に、上容器体の下開口の内周面を外嵌で嵌め合わせるように構成して、上容器体の下開口の上部内周面に、下容器体の上開口の括れ部の肩部に当て止められる凸部を形成するとともに、下容器体の上開口の下部外周面に、上容器体の下端部が入り込み可能な凹部を形成することが好ましい。
【００１２】
第２の手段である切り花の収納容器において、前記上容器体の内周面部分に、水止め堰となる環状凹凸部を形成することが好ましい。
【００１３】
第２の手段である切り花の収納容器において、前記環状凹凸部は、外周面を凹状に窪ませ、内周面を凸状に突出させることで形成することが好ましい。
【００１４】
第２の手段である切り花の収納容器において、前記下容器体の上開口は、切り花の茎を中央付近に位置決め可能なように上向きに立ち上がった内周面を有することが好ましい。
【００１５】
第２の手段である切り花の収納容器において、前記下容器体の少なくとも下部は、グリップ状に形成することが好ましい。
【００１６】
第２の手段である切り花の収納容器において、上容器体と下容器体の嵌め合わせ部分に跨る外周面を、剥離可能なテープ材でシールすることが好ましい。
【発明の効果】
【００１７】
本発明の第１の手段によれば、収納容器を横倒ししたり、下向きに傾けたときに、保水材から容器体の下部の内周面部分に水が伝い流れても、凹凸部で堰止められて容器体の上部側に流れ出にくくなるので、容器体の上部側が水で汚れたり、容器体に頂開口を有する場合には、この頂開口から水が容器体の外部に流れ出るおそれが少なくなる。また、容器体の内周面部分に環状の凹凸部を形成するだけであるから、安価に製造することができる。さらに、凹凸部は、環状であるので、容器体が補強されるようになる。
【００１８】
本発明の第２の手段によれば、収納容器を横倒ししたり、下向きに傾けたときに、保水材から下容器体の内周面部分に水が伝い流れても、凹凸部で堰止められて上容器体側に流れ出にくくなるので、上容器体が水で汚れたり、上容器に頂開口を有する場合には、この頂開口から水が上容器体の外部に流れ出るおそれが少なくなる。また、下容器体の内周面部分に環状の凹凸部を形成するだけであるから、安価に製造することができる。さらに、凹凸部は環状であるので、下容器体が補強されるようになる。
【００１９】
さらにまた、収納容器は、着脱可能な上容器体と下容器体とで構成したから、下容器体に切り花の茎側を差し込んで収納した後に、切り花の花側に上容器体を被せて収納できるから、収納作業が容易に行えて、花側を傷めることがなくなる。
【００２０】
また、上容器体と下容器体とで切り花全体を保護できるとともに、上容器体を取り外さなくても、上容器体を透して切り花の花側を観賞することができる。さらに、下容器体を机上などに立て置き可能であるので、花瓶の代用として使用することができる。
【００２１】
前記下容器体の上開口を括れ部に形成すれば、水が下容器体の凹凸部を越流しても、括れ部でも堰止められるので、上容器体側により流れ出にくくなる。
【００２２】
前記上容器体に頂開口を形成すれば、上容器の頂開口から収納容器内に空気が流通するので、切り花の寿命が長くなる。
【００２３】
前記上容器体の頂開口を括れ頂部に形成すれば、水が上容器体側に流れても、括れ頂部で堰止められるので、水が頂開口から外部に流れ出るおそれがより少なくなる。また、収納容器を下向きにしても、花の外周囲が頂開口の内周囲に引っ掛かかりやすいので、切り花が頂開口から抜け落ちにくくなる。
【００２４】
前記上容器体に、下容器体の括れ部の肩部に当て止める凸部を形成し、下容器体に、上容器体の下端部が入り込み可能な凹部を形成すれば、下容器体の括れ部の肩部に上容器の凸部が当て止められて、上容器体が必要以上の深さで下容器体に嵌り込まないので、切り花の花側が有効に保護されるようになる。また、上容器体の下端部が下容器体の凹部に入り込むので、手を触れても安全である。
【００２５】
前記上容器体の内周面部分に環状凹凸部を形成すれば、水が上容器体側に流れ出しても、凹凸部で堰止められて、上容器に頂開口を有する場合には、この頂開口から水が容器体の外部に流れ出るおそれが少なくなる。この凹凸部は、環状であるので、上容器体が補強されるようになる。
【００２６】
前記環状凹凸部を外周面を凹状に窪ませ、内周面を凸状に突出させることで形成すれば、環状凹凸部をブロー成形時に、同時形成できるようになる。
【００２７】
前記下容器体の上開口に、切り花の茎を中央付近に位置決め可能なように上向きに立ち上がった内周面を有すれば、上開口の立ち上がり内周面で切り花の茎を中央付近に位置決めできるので、切り花が収納容器内で片寄ったりしなくなるとともに、茎を傷つけるおそれもなくなる。
【００２８】
前記下容器体の下部をグリップ状に形成すれば、手で握り易くなる。
【００２９】
前記上容器体と下容器体の嵌め合わせ部分をテープ材でシールすれば、上容器体と下容器体とが衝撃で外れるのを防止できるとともに、テープ材の外面に、取り扱い説明文や商標などのマークを印刷することができる。
【発明を実施するための最良の形態】
【００３０】
以下、本発明を実施するための最良の形態について、図面を参照しながら詳細に説明する。
【００３１】
図１は切り花の収納容器１の正面図、図２は側面図、図３（ａ）は平面図、（ｂ）は底面図、図４は要部の断面正面図、図５（ａ）は切り花Ｆを収納した収納容器１の正面図、（ｂ）は側面図ある。
【００３２】
前記収納容器１は、切り花Ｆの花側を収納する有頂筒状の上容器体２と、切り花Ｆの茎側を収納する有底筒状の下容器体３との２部品（２ピースパッケージ）で構成されて、下容器体３の上開口３ａの外周面に、上容器体２の下開口２ａの内周面を外嵌で着脱可能に嵌め合わせるようになっている。なお、後述するように、下容器体３の括れ部３ｅに上開口３ａを形成しているので、正確には、下容器体３の括れ部３ｅの下方位置の外周面に、上容器体２の下開口２ａの内周面を外嵌で嵌め合わせるようになる。
【００３３】
前記上容器体２は、全体を四角筒状に形成し、下容器体３は、上部を四角筒状、下部を円筒状のグリップ部分３ｃに形成している。
【００３４】
前記上容器体２は透明若しくは半透明が好ましく、下容器体３は不透明が好ましい。素材としては、例えば飲料用ペットボトルと同様のＰＥＴ（ポリエチレンテレフタレート）製が好ましい。
【００３５】
前記下容器体３の内底部３ｂには、ゼリー状の保水材４を適当な深さで充填している。この保水材４は、例えば、おむつ等の吸収材として用いられている高分子合成樹脂材に、予め水を多量に吸収させてゼリー状化したものが適当である。
【００３６】
前記下容器体３の下部のグリップ部分３ｃには、上下方向に多段で複数個の環状凹凸部３ｄを形成している。この環状凹凸部３ｄは、外周面を凹状に窪ませ、内周面を凸状に突出させることで形成すれば、下容器体３をブロー成形する際に、同時形成できるようになる。
【００３７】
前記下容器体３の上開口３ａは、下容器体３の内周面よりも狭くなるように括れさせた括れ部３ｅに形成している。
【００３８】
この括れ部３ｅに形成した上開口３ａには、切り花Ｆの茎を中央付近に位置決め可能なように上向きに立ち上がった内周面３ｆを有している。
【００３９】
前記上容器体２には、上下方向に多段で複数個の環状凹凸部２ｂを形成している。この環状凹凸部２ｂは、下容器体３の環状凹凸部３ｄと同様に、外周面を凹状に窪ませ、内周面を凸状に突出させることで形成すれば、上容器体２をブロー成形する際に、同時形成できるようになる。
【００４０】
前記上容器体２には頂開口２ｃを形成して、この頂開口２ｃは、上容器体２の内周面よりも狭くなるように括れさせた括れ頂部２ｄに形成している。
【００４１】
前記下容器体３は、その上開口３ａの外周面に、上容器体２の下開口２ａの内周面を外嵌で嵌め合わせるように構成している。そして、上容器体２の下開口２ａの上部内周面には、下容器体３の上開口３ａの括れ部３ｅの肩部３ｇに当て止められる凸部２ｅを形成している。また、下容器体３の上開口３ａの下部外周面には、上容器体２の下端部２ｆが入り込み可能な凹部３ｈを形成している。
【００４２】
前記上容器体２と下容器体３の嵌め合わせ部分に跨る外周面を、剥離可能な粘着テープ材５（図４および図５参照）でシールすることが好ましい。
【００４３】
前記のように、切り花Ｆの収納容器１を構成すれば、収納容器１は、着脱可能な上容器体２と下容器体３とで構成したから、下容器体３に切り花Ｆの茎側を差し込んで収納した後に、切り花Ｆの花側に上容器体２を被せて収納できるから、収納作業が容易に行えて、花側を傷めることがなくなる。
【００４４】
また、上容器体２と下容器体３とで切り花Ｆ全体を保護できるとともに、上容器体２を取り外さなくても、上容器体２を透して切り花Ｆの花側を観賞することができる。さらに、下容器体３を机上などに立て置き可能であるので、花瓶の代用として使用することができる。しかも、下容器体３の下部がグリップ部分３ｃであるので、手で握り易くなる。
【００４５】
さらにまた、下容器体３のグリップ部分３ｃの内周面部分に、水止め堰となる複数個の環状凹凸部３ｄを形成したから、収納容器１を横倒ししたり、下向きに傾けたときに、保水材４から下容器体３の内周面部分に水が伝い流れても、凹凸部３ｄで堰止められて上容器体２側に流れ出にくくなるので、上容器体２が水で汚れたり、水が頂開口２ｃから上容器体２の外部に流れ出るおそれが少なくなる。また、下容器体３の内周面部分に環状凹凸部３ｄを形成するだけであるから、安価に製造することができる。また、凹凸部３ｄは環状であるので、下容器体３が補強されるようになる。
【００４６】
さらに、下容器体３の上開口３ａは、下容器体３の内周面よりも狭くなるように括れさせた括れ部３ｅに形成したから、水が下容器体３の凹凸部３ｄを越流しても、括れ部３ｅでも堰止められるので、上容器体２側により流れ出にくくなる。
【００４７】
また、上容器体２に頂開口２ｃを形成したから、上容器２の頂開口２ｃから収納容器１内に空気が流通するので、切り花Ｆの寿命が長くなる。この上容器体２の頂開口２ｃを、上容器体２の内周面よりも狭くなるように括れさせた括れ頂部２ｄに形成したから、水が上容器体２側に流れても、括れ頂部２ｄで堰止められるので、水が頂開口２ｃから外部に流れ出るおそれがより少なくなる。また、収納容器１を下向きにしても、花の外周囲が頂開口２ｃの内周囲に引っ掛かかりやすいので、切り花Ｆが頂開口２ｃから抜け落ちにくくなる。
【００４８】
さらに、上容器体２の内周面部分に、水止め堰となる環状凹凸部２ｂを形成したから、水が上容器体２側に流れ出しても、凹凸部２ｂで堰止められて、頂開口２ｃから水が上容器体２の外部に流れ出るおそれが少なくなる。この凹凸部２ｂは、環状であるので、上容器体２が補強されるようになる。
【００４９】
また、下容器体３の上開口３ａは、切り花Ｆの茎を中央付近に位置決め可能なように上向きに立ち上がった内周面３ｆを有しているから、上開口３ａの立ち上がり内周面３ｆで切り花Ｆの茎を中央付近に位置決めできるので、切り花Ｆが収納容器１内で片寄ったりしなくなるとともに、茎を傷つけるおそれもなくなる。
【００５０】
さらに、上容器体２の下開口２ａの上部内周面に、下容器体３の上開口３ａの括れ部３ｅの肩部３ｇに当て止められる凸部２ｅを形成したから、上容器体２が必要以上の深さで下容器体３に嵌り込まないので、切り花Ｆの花側が有効に保護されるようになる。また、下容器体３の上開口３ａの下部外周面に、上容器体２の下端部２ｆが入り込み可能な凹部３ｈを形成したから、上容器体２の下端部２ｆが下容器体３の凹部３ｈに入り込むので、手を触れても安全である。
【００５１】
さらに、上容器体２と下容器体３の嵌め合わせ部分に跨る外周面を、剥離可能なテープ材５でシールしたから、上容器体２と下容器体３とが衝撃で外れるのを防止できるとともに、テープ材の５外面に、取り扱い説明文や商標などのマークＭを印刷することができる。
【００５２】
前記実施形態では、収納容器１を上容器体２と下容器体３との２部品（２ピースパッケージ）で構成したが、上下一体の容器体であっても良く、この容器体の内底部に、切り花Ｆの茎の切り口部分に接触する保水材４を設けるとともに、容器体の少なくとも下部の内周面部分に、水止め堰となる環状の凹凸部を形成すれば良い。
【００５３】
この構成であっても、収納容器１を横倒ししたり、下向きに傾けたときに、保水材４から容器体の下部の内周面部分に水が伝い流れても、凹凸部で堰止められて容器体の上部側に流れ出にくくなるので、容器体の上部側が水で汚れたり、容器体に頂開口を有する場合には、この頂開口から水が容器体の外部に流れ出るおそれが少なくなる。
【００５４】
前記実施形態では、ブロー成形によって、上容器体２と下容器体３の内周面部分に、水止め堰となる環状凹凸部２ｂ，３ｄを形成したが、図６（ａ）のように、インジェクション成形によって、上容器体２と下容器体３の内周面部分に、水止め堰となる環状凸部２ｂ，３ｄだけを形成することもできる。
【００５５】
前記実施形態では、下容器体３の内底部３ｂに保水材４を充填したが、図６（ｂ）のように、下容器体３の内底部３ｂに嵌め込むキャップ部材６に保水材４を充填することもできる。この場合、図６（ｃ）（ｄ）のように、キャップ部材６の上部に内向きの凸部６ａを形成すれば、この凸部６ａが下容器体３の内周部分の水止め堰となるから、下容器体３の環状凹凸部３ｄを省略することも可能になる。
【００５６】
前記実施形態では、上容器体２に頂開口２ｃを形成して、この頂開口２ｃを括れ頂部２ｄに形成したが、図６（ｅ）のように、上容器体２の上蓋部２ｇの中央寄り部分に、多数の小孔２ｈを形成するようにしても良い。この場合には、水が下容器体３の凹凸部３ｄを越流しても、上蓋部２ｇの周辺部２ｉでも堰止められるので、上容器体２から外部により流れ出にくくなる。
【図面の簡単な説明】
【００５７】
【図１】本発明の実施形態に係る切り花の収納容器の正面図である。
【図２】図１の側面図である。
【図３】（ａ）は図１の平面図、（ｂ）は図１の底面図である。
【図４】図１の要部の断面正面図である。
【図５】（ａ）は切り花を収納した収納容器の正面図、（ｂ）は側面図ある。
【図６】（ａ）〜（ｅ）は、それぞれ変形例の要部断面図である。
【符号の説明】
【００５８】
１      収納容器
２      上容器体
２ａ    下開口
２ｂ    環状凹凸部
２ｃ    頂開口
２ｄ    括れ頂部
２ｅ    凸部
２ｆ    下端部
３      下容器体
３ａ    上開口
３ｂ    内底部
３ｃ    グリップ部分
３ｄ    環状凹凸部
３ｅ    括れ部
３ｆ    内周面
３ｇ    肩部
３ｈ    凹部
４      保水材
５      テープ材
６      キャップ部材
Ｆ      切り花
Ｍ      マーク
【図１】
2006213391.tif 000003
【図２】
2006213391.tif 000004
【図３】
2006213391.tif 000005
【図４】
2006213391.tif 000006
【図５】
2006213391.tif 000007
【図６】
2006213391.tif 000008